(57)【要約】【課題】  配線基板に仮固定した電池用端子が半田付けに際して配線基板から離れて浮き上がるという状況を、粘着テープなどを余分に用いることなく確実に防ぐ。【解決手段】  線材を折り曲げることによって全体形状を形作ってある電池用端子３０が、配線基板１０の一方側板面１５上でまっすぐに延びる座部３１と、配線基板１０の他方側板面１６に半田付けされている取付部３２と、電極部３４を有する立上り部３３と、を備えていることに加え、配線基板１０の端縁１２を経由してその他方側板面１６との重なり位置に延び出た係合部３８を備えている。配線基板１０を裏返して半田付け作業を行うときには、係合部３８が配線基板１０に係合することによって、電池用端子３０が板面１５から離れて浮き上がるという事態を阻止する。【選択図】        図１
2008084554.tif 000002
【特許請求の範囲】
【請求項１】
線材を折り曲げることによって全体形状が形作られている電池用端子が、半田付けによって配線基板に取り付けられているリモートコントローラにおける電池用端子の取付構造であって、
上記端子に、配線基板の一方側板面に重なり状に配備されてその配線基板の端縁に沿ってまっすぐに延びる座部と、この座部の一端部に曲成されかつ上記配線基板の孔部に挿入されてその配線基板の他方側板面に半田付けされている取付部と、上記配線基板の一方側板面に対して起立された立上り部と、この立上り部に具備されて電池側電極に弾接される電極部とが形成されていることに加え、配線基板の上記端縁を経由してその他方側板面との重なり位置に延び出た係合部とこの係合部に連設されて配線基板の上記一方側板面との重なり位置に延び出た押さえ部とを有する折曲げ片が形成されていると共に、この折曲げ片の上記係合部と上記押さえ部とにより上記配線基板が弾圧挟持され、
上記配線基板の他方側板面が、回路パターンが形成されている主領域と、この主領域の周囲で当該配線基板の端縁に沿う外縁領域とに区画されていて、上記折曲げ片の係合部が上記主領域内に突き出さない状態で上記外縁領域に重なり合い、
上記折曲げ片に係合して上記端子が配線基板の上記端縁に沿う方向に位置ずれすることを抑制するための掛止部が、上記配線基板の一部を欠除することによって形成された上記配線基板の端面によって形成され、上記折曲げ片に係合してその折曲げ片が配線基板の上記端縁から離れる方向に位置ずれすることを抑制するための突起がその配線基板に具備されていることを特徴とするリモートコントローラにおける電池用端子の取付構造。
【請求項２】
線材を折り曲げることによって全体形状が形作られている電池用端子が半田付けによって配線基板に取り付けられているリモートコントローラにおける電池用端子の取付構造であって、
上記端子に、配線基板の一方側板面に重なり状に配備されてその配線基板の端縁に沿って延びる座部と、この座部の一端部に設けられて上記配線基板に半田付けされている取付部と、上記配線基板の一方側板面に対して起立された立上り部と、この立上り部に具備されて電池側電極に弾接される電極部とが形成されていることに加え、配線基板の上記端縁を経由してその他方側板面との重なり位置に延び出た係合部を有する折曲げ片が形成されていて、その折曲げ片に上記立上り部の始端部と上記座部の他端部とが連設されていることを特徴とするリモートコントローラにおける電池用端子の取付構造。
【請求項３】
上記折曲げ片が、上記係合部と、この係合部に連設されて配線基板の一方側板面との重なり位置に延び出て上記立上り部の始端部及び上記座部の他端部のそれぞれが連設されている押さえ部とを有する請求項２に記載したリモートコントローラにおける電池用端子の取付構造。
【請求項４】
上記折曲げ片の上記係合部と上記押さえ部とが上記配線基板を弾圧挟持している請求項３に記載したリモートコントローラにおける電池用端子の取付構造。
【請求項５】
上記配線基板の他方側板面が、回路パターンが形成されている主領域と、この主領域の周囲で当該配線基板の端縁に沿う外縁領域とに区画されていて、上記折曲げ片の係合部が上記主領域内に突き出さない状態で上記外縁領域に重なり合っている請求項４に記載したリモートコントローラにおける電池用端子取付構造。
【発明の詳細な説明】
【技術分野】
【０００１】
本発明は、全体形状が線材を折り曲げることによって形作られている電池用端子を配線基板に半田付けによって取り付ける際に、電池用端子が初期の仮固定位置からずれて配線基板から離れた状態のまま半田付けされてしまうという事態を防ぐための対策が講じられているリモートコントローラにおける電池用端子の取付構造に関する。
【背景技術】
【０００２】
電池用端子の全体形状を線材を折り曲げることによって形成することや、電池用端子を配線基板に半田付けするに際して、電池用端子の一部を折り曲げてその折曲り箇所を配線基板の取付穴に係合させることによってその配線基板に電池用端子を仮止めしておくことは、従来より行われていた（たとえば、特許文献１参照）。また、板金を曲げて作られている端子に曲げ部を一体に具備させておき、その曲げ部をプリント板の端部に圧入することによってその端子をプリント板に取り付けるということも行われていた（たとえば、特許文献２参照）。
【０００３】
一方、図８にはテレビジョン受像機やＤＶＤレコーダなどの各種電気機器の制御に用いられるリモートコントローラＡの外観を概略を斜視図で示してあり、図９にはこのリモートコントローラＡに内蔵されている配線基板１０を概略平面図で示してある。
【０００４】
図８のリモートコントローラＡは、その駆動電力を図９に仮想線で示した乾電池Ｂに求めていることから、その乾電池Ｂと配線基板１０の回路パターン２０とを接続するための電池用端子３０，４０を備えている。そして、乾電池Ｂを挟み込む一方側の電池用端子３０が配線基板１０に半田付けよって取り付けられているのに対し、他方側の電池用端子４０が図８に示されている筐体Ｃ側に装備されている。このようなリモートコントローラＡでは、たとえば図８に示されている操作ボタンの１つを操作すると、図９の配線基板１０の回路パターン２０の作用によって一定の制御信号が発信される。
【０００５】
図１０は図９に示した配線基板１０に対する２つの電池用端子３０の従来の取付構造の斜視図であり、図１１は図１０のＸＩ−ＸＩ線に沿う部分の拡大断面図である。
【０００６】
図１０に示されている２つの電池用端子３０のそれぞれは、線材を折り曲げることによって全体形状が形作られていて、両者は同じ構造を採用して配線基板１０に取り付けられている。一方側の電池用端子３０を例にとって図１１に示したように、両方の電池用端子３０のそれぞれは、細長矩形の配線基板１０の一方側板面（裏面）１５に重なり状に配備されてその配線基板１０の幅方向両側の各端縁１２に沿ってまっすぐに延びる座部３１と、この座部３１の一端部に直角に曲成されかつ配線基板１０の孔部１１に挿入されてその配線基板１０の他方側板面（表面）１６に半田付けされている取付部３２と、配線基板１０の一方側板面１５に対して起立された立上り部３３と、この立上り部３３に具備されて電池側電極に弾接される電極部３４とが形成されている。また、図例の電池用端子３０では、その座部３１の中間部に曲成した門形部３５を配線基板１０のスリット状の長孔１３に嵌め込んである。なお、図１１では半田付け箇所の半田盛りを図示省略してある。
【０００７】
図１０又は図１１を参照して説明した取付構造を採用するに際し、電池用端子３０を配線基板１０に取り付ける工程では、配線基板１０の孔部１１と長孔１３とに電池用端子３０の取付部３２と門形部３５とをそれぞれ差し込むことによって電池用端子３０を配線基板１０に仮固定した後、配線基板１０を裏返しにしてその他方側板面１６を上に向け、その状態で上記取付部３２に対する半田付け作業が行われる。この場合に、電池用端子３０がその重量によって初期の仮固定位置ずれてその座部３１や立上り部３３が配線基板１２の一方側板面１５から離れるという状況が起こり得る。この状況が生じた状態を浮き上がり状態とする。
【０００８】
この浮き上がり状態を図１２及び図１３に例示してある。すなわち、図１２は、取付部３２や門形部３５が配線基板１０の孔部１１や長孔１３内で抜出し方向に位置ずれして座部３１の全体が配線基板１０の一方側板面１５から離れて浮き上がった状態を示しているのに対し、図１３は、門形部３５が配線基板１０の長孔１３から抜け出て座部３１が配線基板１０の一方側板面１５から離れて浮き上がった状態を示している。そして、図１２や図１３に例示したように座部３１が配線基板１０の一方側板面１５から浮き上がった状態のまま、取付部３２が配線基板１０の他方側板面１６に半田されてしまうと、電池用端子３０の取付精度が低下したり取付不良が起こったりする結果、電池側電極に対する電極３４の適正な接触状態が得られなくなったりするおそれがある。そこで、そのような電池用端子３０の取付精度の低下を防止するために、座部３１を粘着テープ（不図示）で配線基板１０の一方側板面１５に貼り付けて浮き上がりを防ぐこともあった。
【特許文献１】特開２０００−１７４４５９号公報
【特許文献２】特開平９−３０６４５４号公報
【発明の開示】
【発明が解決しようとする課題】
【０００９】
本発明は、以上の状況の下でなされたものであり、配線基板に仮固定した電池用端子が半田付けに際して配線基板から離れて浮き上がるという状況を、粘着テープなどを余分に用いることなく、確実に防ぐことが可能になるリモートコントローラにおける電池用端子の取付構造を提供することを目的とする。
【課題を解決するための手段】
【００１０】
本発明に係るリモートコントローラにおける電池用端子の取付構造は、線材を折り曲げることによって全体形状が形作られている電池用端子が半田付けによって配線基板に取り付けられている。そして、上記端子に、配線基板の一方側板面に重なり状に配備されてその配線基板の端縁に沿って延びる座部と、この座部の一端部に設けられて上記配線基板に半田付けされている取付部と、上記配線基板の一方側板面に対して起立された立上り部と、この立上り部に具備されて電池側電極に弾接される電極部とが形成されていることに加え、配線基板の上記端縁を経由してその他方側板面との重なり位置に延び出た係合部を有する折曲げ片が形成されていて、その折曲げ片に上記立上り部の始端部と上記座部の他端部とが連設されている。
【００１１】
この構成であれば、折曲げ片が配線基板の端縁を経由してその他方側板面との重なり位置に延び出ていて、その折曲げ片に、配線基板の一方側板面側に配備されて電極部を具備している立上り部の始端部と上記座部の他端部とが連設されているので、電極部を具備する上記立上り部や上記座部については、上記折曲げ片が配線基板の他方側板面に係合することによって配線基板の一方側板面から離れて浮き上がるという事態の起こることが防止される。このため、配線基板を裏返してその他方側基板を上に向けた状態で半田付け作業を行うときにも、座部や電極を有する立上り部や座部が配線基板の一方側板面から離れて浮き上がるという状況の起こることが防止されることになる。したがって、半田付け作業を行ったときに、配線基板の一方側板面から電池用端子が浮き上がったまま配線基板に取り付けられてしまうという事態が起こらず、その結果、電池用端子の取付精度が高められる。また、電池交換の際などに電極部や立上り部に外力が加わったとしても、その外力が配線基板の他方側板面に係合する折曲げ片によって受け止められるので、電極部を有する上記立上り部や上記座部が配線基板の一方側板面から離れる方向に変形してしまうという事態、さらには、半田付け箇所に無理な力が加わるという事態も併せて防止される。
【００１２】
本発明では、上記折曲げ片が、上記係合部と、この係合部に連設されて配線基板の一方側板面との重なり位置に延び出て上記立上り部の始端部及び上記座部の他端部のそれぞれが連設されている押さえ部とを有する、という構成を採用することが可能である。これによれば、押さえ部を長さの増減調節を通じて配線基板の端縁とその一方側板面上での電池用端子の上記立上り部や上記座部の位置との間隔を変更することが可能になるので、立上り部に備わっていく電極部の配置位置を定めることについての自由度、ひいては電池セット位置を定めることについての自由度が向上する。言い換えると、上記押さえ部の長さを変更するだけで電池セット位置を変更することが可能になるという利点がある。
【００１３】
本発明では、上記折曲げ片の上記係合部と上記押さえ部とが上記配線基板を弾圧挟持していることが望ましく、この構成を採用することによって、半田付け作業に際して立上り部や座部が配線基板の一方側板面から離れて浮き上がるという事態が確実に防止されるようになって電池用端子の取付精度がいっそう高まる。
【００１４】
本発明では、上記配線基板の他方側板面が、回路パターンが形成されている主領域と、この主領域の周囲で当該配線基板の端縁に沿う外縁領域とに区画されていて、上記折曲げ片の係合部が上記主領域内に突き出さない状態で上記外縁領域に重なり合っている、という構成を採用することが可能である。これによれば、リモートコントローラに用いられる配線基板の回路パターン形成領域である上記主領域の広さや形状などについての影響を及ぼさずに、半田付け作業に際しての立上り部や座部が配線基板の一方側板面から離れて浮き上がるという事態を防止することができるようになる。
【００１５】
本発明に係るリモートコントローラにおける電池用端子取付構造は、線材を折り曲げることによって全体形状が形作られている電池用端子が、半田付けによって配線基板に取り付けられているリモートコントローラにおける電池用端子の取付構造であって、上記端子に、配線基板の一方側板面に重なり状に配備されてその配線基板の端縁に沿ってまっすぐに延びる座部と、この座部の一端部に曲成されかつ上記配線基板の孔部に挿入されてその配線基板の他方側板面に半田付けされている取付部と、上記配線基板の一方側板面に対して起立された立上り部と、この立上り部に具備されて電池側電極に弾接される電極部とが形成されていることに加え、配線基板の上記端縁を経由してその他方側板面との重なり位置に延び出た係合部とこの係合部に連設されて配線基板の上記一方側板面との重なり位置に延び出た押さえ部とを有する折曲げ片が形成されていると共に、この折曲げ片の上記係合部と上記押さえ部とにより上記配線基板が弾圧挟持され、上記配線基板の他方側板面が、回路パターンが形成されている主領域と、この主領域の周囲で当該配線基板の端縁に沿う外縁領域とに区画されていて、上記折曲げ片の係合部が上記主領域内に突き出さない状態で上記外縁領域に重なり合い、上記折曲げ片に係合して上記端子が配線基板の上記端縁に沿う方向に位置ずれすることを抑制するための掛止部が、上記配線基板の一部を欠除することによって形成された上記配線基板の端面によって形成され、上記折曲げ片に係合してその折曲げ片が配線基板の上記端縁から離れる方向に位置ずれすることを抑制するための突起がその配線基板に具備されている、という構成を有していてもよい。この発明についての作用などについては、後述する実施形態を参照して詳細に説明する。
【発明の効果】
【００１６】
以上のように、本発明によれば、線材を折り曲げることによって全体形状が形作られている電池用端子に、上記線材の一部に折曲げ片が追加されていて、その折曲げ片の係合部が配線基板の他方側板面との重なり位置に配備されているので、配線基板を裏返してその一方側板面を上にして半田付け作業を行うときに、配線基板に仮固定されている電池用端子が配線基板から離れて浮き上がるという事態が防止されて、半田付け後の電池用端子の取付精度が高められる。その結果、位置精度の低下が原因となって電池と電極部との間で接触不良が生じることがなくなる。また、配線基板に取り付けられた電池用端子が、電池交換時などに加えられる外力で変形したりすることが抑制される。
【発明を実施するための最良の形態】
【００１７】
図１は本発明の実施形態に係る電池用端子の取付構造を例示した概略斜視図、図２は図１のＩＩ矢視方向から見て示した拡大部分断面図、図３は電池用端子３０の概略斜視図、図４（Ａ）は電池用端子３０が仮固定されて裏返された配線基板１０の要部の拡大平面図、同（Ｂ）は同（Ａ）のＩＶＢ−ＩＶＢ線に沿う断面図である。
【００１８】
この実施形態において、図１に示した配線基板１０は図８に例示されているリモートコントローラに組み付けられる。また、その配線基板１０に取り付けられている電池用端子３０は、図１０に示した電池用端子３０に相応している。また、図９に示してあるように、配線基板１０は、その他方側板面が、回路パターンが形成されている主領域Ｚ１と、この主領域Ｚ１の周囲で当該配線基板１０の端縁に沿う外縁領域Ｚ２とに区画されている。
【００１９】
図３のように、電池用端子３０は、その基本構成が図１０を参照して説明した電池用端子３０と同一になっている。すなわち、電池用端子３０は、線材を折り曲げることによって全体形状が形作られていて、まっすぐな座部３１と、この座部３１の中間部に曲成されている門形部３５と、電極部３４を備える立上り部３３と、座部３１の一端部に直角に曲成された取付部３２と、を有するという基本構成を備えている。そして、このような基本構成に加えて、折曲げ片３６が上記線材に曲成されている。図例の折曲げ片３６は、上記立上り部３３の始端部及び座部３１に連設されて側方に延び出た一対の押さえ部３７，３７と、これらの押さえ部３７，３７に連設されている係合部３８とを有していて、係合部３８が、コ字形の主部３８ａとこの主部３８ａを上記押さえ部３７，３７に連設している一対の連結部３８ｂ，３８ｂとを有している。そして、係合部３８の主部３８ａと押さえ部３７との間に配線基板１０の厚さ寸法と同等又はそれよりも短い寸法の隙間が確保されている。なお、図１に示した２つの電池用端子３０は、電極部３４の形状が異なっているだけで、その他の部分の形状は互いに対称に形作られている。
【００２０】
図１又は図２に示したように、配線基板１０の一方側及び他方側の各端面１２，１２の近傍箇所に２つの電池用端子３０，３０が個別に取り付けられている。そして、片側の電池用端子３０について説明すると、配線基板１０に取り付けられている電池用端子３０は、座部３１が配線基板１０の一方側板面（裏面）１５に重なり状に配備されてその配線基板１０の端縁１２に沿って平行にまっすぐに延び、取付部３２が配線基板１０の孔部１１に挿入されてその配線基板１０の他方側板面（表面）１６に半田付けされている。また、電極部３４を有する立上り部３３が配線基板１０の一方側板面１５に対して直角に起立し、門形部３５が配線基板１０のスリット状の長孔１３に嵌まっている。なお、図２では半田付け箇所の半田盛りを図示省略してある。
【００２１】
加えて、図３（Ａ）（Ｂ）によって詳細に示したように、折曲げ片３６の係合部３８を形成しているコ字形の主部３８ａと押さえ部３７との間に配線基板１０の端縁部を挟み込ませることによって、その係合部の連結部３８ｂを配線基板１０の端縁１２に側方から重ね合わせてある。したがって、係合部３８が、配線基板１０の端縁１２を経由してその他方側板面１６との重なり位置に延び出ていると共に、この係合部３８に連設されている上記押さえ部３７が、配線基板１０の一方側板面１５との重なり位置に延び出ている。特にこの実施形態では、折曲げ片３６の係合部３８と押さえ部３７とによって配線基板１０ががたつきなく挟み込まれている。この場合、係合部３８の主部３８ａと押さえ部３７との間に配線基板１０の厚さ寸法よりも短い寸法の隙間が確保されているときには、配線基板１０が係合部３８と押さえ部３７とにより弾圧挟持された状態になる。
【００２２】
図１、図２又は図４を参照して説明した構造で電池用端子３０が配線基板１０に取り付けられていると、電池交換などに際して電極部３４に外力が加えられたとしても、その外力が配線基板１０の他方側板面１６に係合する折曲げ片３６によって受け止められるので、電極部３４を有する立上り部３３や座部３１が配線基板の一方側板面から離れる方向に変形してしまうという事態、さらには、取付部３２の半田付け箇所に無理な力が加わるという事態も併せて防止されることになる。そのため、電池交換などに際して半田付け箇所が剥離したり座部３１が変形したりするおそれがない。
【００２３】
一方、電池用端子３０を配線基板１０に半田付けによって取り付ける際には、最初の段階で、配線基板１０に電池用端子３０が仮固定される。この仮固定は、座部３１を配線基板１０の一方側板面（裏面）１５に重なり状に配備して取付部３２を配線基板１０の孔部１１に挿入すると共に、門形部３５を配線基板１０の長孔１３に嵌め、併せて、折曲げ片３６を配線基板１０の端縁部に嵌め込むことによってその係合部３８と押さえ部３７とによって配線基板１０をがたつきなく挟み込む、という手順で行われる。
【００２４】
次に、配線基板１０を裏返すことによって配線基板１０の他方側板面１６を上に向けて取付部３２と配線基板１０の半田ランドとを半田付けする。この場合に、配線基板１０を裏返したとしても、折曲げ片３６に備わっている係合部３８の主部３８ａが配線基板１０の他方側板面１６に重なり合って係合しているので、電池用端子１０がその自重によってずれてその立上り部３３の始端部や座部３１が配線基板１０の一方側板面１５から離れて浮き上がるという事態は起こらない。その結果、取付部３２を半田付けすると、立上り部３３の始端部や座部３１が配線基板１０の一方側板面１５に重なり合った状態のまま電池用端子１０が配線基板１０に取り付けられることになって高い取付精度が確保される。
【００２５】
この実施形態では、折曲げ片３６の係合部３８に備わっている連結部３８ｂが、配線基板１０の端縁１２から突き出さないようにするために、その連結部３８ｂを、配線基板１０を一部欠除することによって形成した凹所１７に収容させてある。そのため、連結部３８ｂが配線基板１０の端縁１２から突き出てその配線基板１０の筐体Ｃ（図８参照）に対する組付け性が損なわれるという事態は起こらない。
【００２６】
また、上記実施形態において、一対の連結部３８ｂを、凹所１７の両側の端面に係合させておけば、その凹所１７の端面が連結部３８ｂを介して電池用端子３０を位置決めする作用を発揮するので、電池用端子３０が配線基板１０の端縁１２に沿う方向に位置ずれするという事態が起こらなくなる。この構成を採用した場合には、凹所１７の端面が折曲げ片３６に係合する掛止部５１として役立つ。
【００２７】
このような位置ずれ防止作用は、図６又は図７に示した構成を採用することによっても発揮される。すなわち、図６の事例では、凹所１７内に突出する台形状の突片部１８を配線基板１０に具備させておき、その突片部１８の端面に上記連結部３８ｂを上記端縁１２に沿う方向で係合させてある。また、図７の事例では、凹所１７内に突出する突片部１９を配線基板１０に具備させておき、その突片部１９の端面に上記連結部３８ｂを上記端縁１２に沿う方向で係合させてあると共に、その突片部１９の先端に形成した突起１９ａによって上記連結部３８ｂの抜出しを防止してある。こうしておくと、上記した位置ずれ防止作用が発揮されることに加えて、折曲げ片３６が配線基板１０の端縁１２から離れる方向に位置ずれして側方へ外れるという事態も防止される。なお、図６及び図７の事例では、突片部１８，１９の端面が上記掛止部５１として役立っている。
【００２８】
以上説明した各事例において、折曲げ片３６の係合部３８は、図９に示した配線基板１０の主領域Ｚ１内に突き出さない状態で外縁領域Ｚ２だけに重なり合っている。このため、折曲げ片３６の作用によって電池用端子３０の浮き上がりが防止されているものでありながら、配線基板１０の回路パターンの形成領域である主領域Ｚ１には、折曲げ片３６が何らの影響も及ぼしていない。その結果、上記した各事例にあっては、図９に示した配線基板１０に凹所１７を形成することと、電池用端子３０に折曲げ片３６を追加することとを行うだけで、半田付け作業時の電池用端子３０の浮き上がりが防止されるようになるという利点がある。
【００２９】
図５は図４に相応して他の実施形態を示したものであり、図５（Ａ）は電池用端子が仮固定されて裏返された配線基板１０の要部の拡大平面図、同（Ｂ）は同（Ａ）のＶＢ−ＶＢ線に沿う断面図である。この事例では、折曲げ片３６に備わっている係合部３８の主部３８ａを延長することによって、その主部３８ａを、配線基板１０の他方側板面１６に形成されている半田盛り５０に係止させてある。その他の構成は図４を参照して説明したところと同様である。この事例によれば、主部３８ａが半田盛り５０に係止されているために、折曲げ片３６が配線基板１０からその側方へ外れるという事態が防止されることと併せて、半田盛り５０を接地（アース）させておくことによって電池用端子３０の接地状態を確保することができるという利点がある。
【００３０】
なお、上記電池用端子の取付構造は、図１に示した２つの電池用端子３０，３０のそれぞれに適用されている。
【００３１】
図１〜図１３では、説明の便宜上、同一又は相応する部分に同一符号を付してある。
【図面の簡単な説明】
【００３２】
【図１】本発明の実施形態に係る電池用端子の取付構造を例示した概略斜視図である。
【図２】図１のＩＩ矢視方向から見て示した拡大部分断面図である。
【図３】電池用端子の概略斜視図である。
【図４】（Ａ）は電池用端子が仮固定されて裏返された配線基板１０の要部の拡大平面図、（Ｂ）は（Ａ）のＩＶＢ−ＩＶＢ線に沿う断面図である。
【図５】（Ａ）は電池用端子が仮固定されて裏返された配線基板の要部の拡大平面図、（Ｂ）は（Ａ）のＶＢ−ＶＢ線に沿う断面図である。
【図６】突片部と連結部との係合状態を示した要部の平面図である。
【図７】突片部と連結部との他の係合状態を示した要部の平面図である。
【図８】リモートコントローラの外観を例示した概略斜視図である。
【図９】配線基板の概略平面図である。
【図１０】配線基板に対する２つの電池用端子３０の従来の取付構造の斜視図である。
【図１１】図１０のＸＩ−ＸＩ線に沿う部分の拡大断面図である。
【図１２】電池用端子が配線基板から離れて浮き上がった状態を示した説明図である。
【図１３】電池用端子が配線基板から離れて浮き上がった他の状態を示した説明図である。
【符号の説明】
【００３３】
１０  配線基板
１１  配線基板の孔部
１２  配線基板の端縁
１５  配線基板の一方側板面
１６  配線基板の他方側板面
１９ａ  突起
３０  電池用端子
３１  座部
３２  取付部
３３  立上り部
３４  電極部
３６  折曲げ片
３７  押さえ部
３８  係合部
５１  掛止部
Ｚ１  主領域
Ｚ２  外縁領域
【図１】
2008084554.tif 000003
【図２】
2008084554.tif 000004
【図３】
2008084554.tif 000005
【図４】
2008084554.tif 000006
【図５】
2008084554.tif 000007
【図６】
2008084554.tif 000008
【図７】
2008084554.tif 000009
【図８】
2008084554.tif 000010
【図９】
2008084554.tif 000011
【図１０】
2008084554.tif 000012
【図１１】
2008084554.tif 000013
【図１２】
2008084554.tif 000014
【図１３】
2008084554.tif 000015